【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
可変容量型ピストンポンプの斜板の傾転を制御するサーボレギュレータであって、
ケース内に摺動自在に収容され、前記斜板に連結されるサーボピストンと、
前記サーボピストンの端部に面して設けられる圧力室と、
ソレノイドにより移動して前記圧力室内の圧力を制御するスプールと、
前記ソレノイドの推力に抗して前記スプールを付勢する付勢部材と、
前記斜板の傾転に応じて前記付勢部材の付勢力を変化させるフィードバック部と、
前記フィードバック部を回動可能に支持する支持シャフトと、を備え、
前記フィードバック部は、前記サーボピストンを介して前記斜板に連結され、
前記ケースは、
前記可変容量型ピストンポンプに取り付けられ、前記サーボピストンを収容する第１ケース部材と、
前記第１ケース部材に取り付けられ、前記スプール及び前記付勢部材を収容する第２ケース部材と、を有し、
前記支持シャフトは、前記第１ケース部材に設けられることを特徴とする
サーボレギュレータ。
【請求項２】
可変容量型ピストンポンプの斜板の傾転を制御するサーボレギュレータであって、
ケース内に摺動自在に収容され、前記斜板に連結されるサーボピストンと、
前記サーボピストンの端部に面して設けられる圧力室と、
ソレノイドにより移動して前記圧力室内の圧力を制御するスプールと、
前記ソレノイドの推力に抗して前記スプールを付勢する付勢部材と、
前記斜板の傾転に応じて前記付勢部材の付勢力を変化させるフィードバック部と、
前記斜板と前記サーボピストンとを連結するアームと、を備え、
前記フィードバック部は、前記サーボピストンを挟んで前記アームとは逆側に設けられ前記サーボピストンを介して前記斜板に連結される
サーボレギュレータ。
【請求項３】
請求項２に記載のサーボレギュレータであって、
前記ケースは、
前記可変容量型ピストンポンプに取り付けられ、前記サーボピストンを収容する第１ケース部材と、
前記第１ケース部材に取り付けられ、前記スプール及び前記付勢部材を収容する第２ケース部材と、を有することを特徴とする
サーボレギュレータ。
【請求項４】
請求項３に記載のサーボレギュレータであって、
前記フィードバック部を回動可能に支持する支持シャフトを更に備え、
前記支持シャフトは、前記第１ケース部材に設けられることを特徴とする
サーボレギュレータ。
【請求項５】
請求項１，３，４のいずれか１項に記載のサーボレギュレータであって、
前記フィードバック部は、前記第２ケース部材に形成される挿通孔を挿通し、
前記第２ケース部材は、前記挿通孔に沿って前記第１ケース部材に着脱可能であることを特徴とする
サーボレギュレータ。
【請求項６】
請求項１，３から５のいずれか１項に記載のサーボレギュレータであって、
前記第２ケース部材は、前記フィードバック部の軸方向に沿って前記第１ケース部材に着脱可能であることを特徴とする
サーボレギュレータ。
【請求項７】
請求項１，３から６のいずれか１項に記載のサーボレギュレータであって、
前記スプールは、前記フィードバック部を挟んで前記サーボピストンとは逆側に設けられることを特徴とする
サーボレギュレータ。
【請求項８】
請求項１から７のいずれか１項に記載のサーボレギュレータであって、
前記サーボピストンの外周面には、前記フィードバック部が挿入される環状溝が形成されることを特徴とする
サーボレギュレータ。
【請求項９】
請求項８に記載のサーボレギュレータであって、
前記フィードバック部は、前記環状溝の接線方向に延びることを特徴とする
サーボレギュレータ。
【手続補正２】
【補正対象書類名】明細書
【補正対象項目名】０００８
【補正方法】変更
【補正の内容】
【０００８】
第１の発明は、ピストンポンプの斜板の傾転を制御するサーボレギュレータに係る。この態様において、第１の発明は、斜板に連結されるサーボピストンと、サーボピストンの端部に面して設けられる圧力室と、ソレノイドにより移動して圧力室内の圧力を制御するスプールと、ソレノイドの推力に抗してスプールを付勢する付勢部材と、斜板の傾転に応じて付勢部材の付勢力を変化させるフィードバック部と、フィードバック部を回動可能に支持する支持シャフトと、を備え、フィードバック部は、サーボピストンを介して斜板に連結され、ケースは、可変容量型ピストンポンプに取り付けられ、サーボピストンを収容する第１ケース部材と、第１ケース部材に取り付けられ、スプール及び付勢部材を収容する第２ケース部材と、を有し、支持シャフトは、第１ケース部材に設けられることを特徴とする。
【手続補正３】
【補正対象書類名】明細書
【補正対象項目名】０００９
【補正方法】変更
【補正の内容】
【０００９】
第１の発明では、フィードバック部がサーボピストンを介して斜板に連結される。そのため、サーボレギュレータをピストンポンプに組み付ける際には、フィードバック部は、サーボピストンと斜板とを連結する前又は後にサーボピストンに連結されればよい。
また、第１ケース部材にサーボピストンが収容され、第２ケース部材にスプールが収容される。そのため、サーボピストンと斜板とを連結した状態で第２ケース部材を第１ケース部材に着脱することができ、サーボレギュレータの組立性を向上させることができる。第２ケース部材にスプール及び付勢部材が収容されるので、第２ケース部材を第１ケース部材から取り外すことで、スプール及び付勢部材を容易に交換することができ、サーボレギュレータの汎用性を高めることができる。
さらに、支持シャフトが第１ケース部材に設けられる。そのため、フィードバック部は、支持シャフトを介して第１ケース部材に支持される。したがって、フィードバック部が第１ケース部材に支持された状態で第２ケース部材を組み付けることができ、サーボレギュレータの組立性が向上する。また、フィードバック部を第１ケース部材から取り外すことなく第２ケース部材を第１ケース部材から取り外すことができる。
【手続補正４】
【補正対象書類名】明細書
【補正対象項目名】００１０
【補正方法】変更
【補正の内容】
【００１０】
第２の発明は、斜板に連結されるサーボピストンと、サーボピストンの端部に面して設けられる圧力室と、ソレノイドにより移動して圧力室内の圧力を制御するスプールと、ソレノイドの推力に抗してスプールを付勢する付勢部材と、斜板の傾転に応じて付勢部材の付勢力を変化させるフィードバック部と、斜板とサーボピストンとを連結するアームと、を備え、フィードバック部は、サーボピストンを挟んでアームとは逆側に設けられサーボピストンを介して斜板に連結されることを特徴とする。
【手続補正５】
【補正対象書類名】明細書
【補正対象項目名】００１１
【補正方法】変更
【補正の内容】
【００１１】
第２の発明では、第１の発明では、フィードバック部がサーボピストンを介して斜板に連結される。そのため、サーボレギュレータをピストンポンプに組み付ける際には、フィードバック部は、サーボピストンと斜板とを連結する前又は後にサーボピストンに連結されればよい。
また、フィードバック部が、サーボピストンを挟んでアームとは逆側に設けられる。そのため、サーボピストンの影響を受けずにフィードバック部を第１ケース部材に着脱することができる。
【手続補正６】
【補正対象書類名】明細書
【補正対象項目名】００１２
【補正方法】変更
【補正の内容】
【００１２】
第３の発明は、ケースが、サーボピストンを収容する第１ケース部材と、スプール及び付勢部材を収容する第２ケース部材と、を有することを特徴とする。
【手続補正７】
【補正対象書類名】明細書
【補正対象項目名】００１３
【補正方法】変更
【補正の内容】
【００１３】
第３の発明では、第１ケース部材にサーボピストンが収容され、第２ケース部材にスプールが収容される。そのため、サーボピストンと斜板とを連結した状態で第２ケース部材を第１ケース部材に着脱することができ、サーボレギュレータの組立性を向上させることができる。また、第２ケース部材にスプール及び付勢部材が収容されるので、第２ケース部材を第１ケース部材から取り外すことで、スプール及び付勢部材を容易に交換することができ、サーボレギュレータの汎用性を高めることができる。
【手続補正８】
【補正対象書類名】明細書
【補正対象項目名】００１４
【補正方法】変更
【補正の内容】
【００１４】
第４の発明は、フィードバック部を回動可能に支持する支持シャフトを更に備え、支持シャフトは、第１ケース部材に設けられることを特徴とする。
【手続補正９】
【補正対象書類名】明細書
【補正対象項目名】００１５
【補正方法】変更
【補正の内容】
【００１５】
第４の発明では、支持シャフトが第１ケース部材に設けられる。そのため、フィードバック部は、支持シャフトを介して第１ケース部材に支持される。したがって、フィードバック部が第１ケース部材に支持された状態で第２ケース部材を組み付けることができ、サーボレギュレータの組立性が向上する。また、フィードバック部を第１ケース部材から取り外すことなく第２ケース部材を第１ケース部材から取り外すことができる。
【手続補正１０】
【補正対象書類名】明細書
【補正対象項目名】００２２
【補正方法】変更
【補正の内容】
【００２２】
第８の発明は、サーボピストンの外周面には、フィードバック部が挿入される環状溝が形成されることを特徴とする。
【手続補正１１】
【補正対象書類名】明細書
【補正対象項目名】００２３
【補正方法】変更
【補正の内容】
【００２３】
第８の発明では、サーボピストンの外周面に、フィードバック部が挿入される環状溝が形成される。そのため、サーボレギュレータを組み立てる際に、サーボピストンの周方向位置を合わせることなく、フィードバック部を環状溝に挿入してフィードバック部とサーボピストンとを連結することができる。したがって、サーボレギュレータを容易に組み立てることができる。
【手続補正１２】
【補正対象書類名】明細書
【補正対象項目名】００２４
【補正方法】変更
【補正の内容】
【００２４】
第９の発明は、フィードバック部が、環状溝の接線方向に延びることを特徴とする。
【手続補正１３】
【補正対象書類名】明細書
【補正対象項目名】００２５
【補正方法】変更
【補正の内容】
【００２５】
第９の発明では、フィードバック部が環状溝の接線方向に延びる。そのため、フィードバック部の延在方向に沿ってフィードバック部を移動させて環状溝に挿入する際に、ケースの内周面に接触するまでフィードバック部を挿入することができる。したがって、フィードバック部の寸法精度が低くてもフィードバック部とサーボピストンとを連結することができ、サーボレギュレータの組立性を向上させることができる。